(57)【要約】【課題】ＰＤＰに係わり、明室コントラストと輝度の両方の特性を良好にすることができる技術を提供する。【解決手段】本ＰＤＰ１０は、前面基板構造体１１におけるセルの発光領域における上半分側の第１の領域３１と下半分側の第２の領域３２とにおいて、配置される電極の材料の違いによって、第１の領域３１の可視光透過率（Ｔ１）を第２の領域３２の可視光透過率（Ｔ２）よりも低くした構造である。第１の領域３１に、金属による不透明電極２１が配置され、第２の領域３２に、ＩＴＯ等による透明電極２２が配置される。【選択図】図１
2009301881.tif 000002
【特許請求の範囲】
【請求項１】
放電ガスが封入された放電空間、及び蛍光体が含まれた表示セルが形成されるプラズマディスプレイパネルであって、
前記プラズマディスプレイパネルを構成する前面基板構造体における表示セルの発光領域における上半分側の第１の領域と下半分側の第２の領域とにおいて、配置される電極の材料の違いによって、前記第１の領域の可視光透過率を前記第２の領域の可視光透過率よりも低くした構造であること、を特徴とするプラズマディスプレイパネル。
【請求項２】
請求項１記載のプラズマディスプレイパネルにおいて、
前記第１の領域では、低い可視光透過率の材料による第１の電極が配置され、
前記第２の領域では、高い可視光透過率の材料による第２の電極が配置されていること、を特徴とするプラズマディスプレイパネル。
【請求項３】
請求項２記載のプラズマディスプレイパネルにおいて、
前記表示セルの発光領域における前記第１の領域内において、電極としては前記第１の電極のみが配置され、その他は高い可視光透過性の部材であり、
前記表示セルの発光領域における前記第２の領域内において、電極としては前記第２の電極のみが配置され、その他は高い可視光透過性の部材であり、
前記第１と第２の電極の先端により放電ギャップが形成されていること、を特徴とするプラズマディスプレイパネル。
【請求項４】
請求項２記載のプラズマディスプレイパネルにおいて、
前記前面基板構造体に、前記表示セルでの表示放電を発生させるための表示電極対として、横方向に並行する維持電極と走査電極の対を有し、
前記維持電極は、前記第１の電極を含んで成り、前記走査電極は、前記第２の電極を含んで成ること、を特徴とするプラズマディスプレイパネル。
【請求項５】
請求項２記載のプラズマディスプレイパネルにおいて、
前記放電空間で前記表示セルを区画する隔壁として、縦方向に並行する隔壁部及び横方向に並行する隔壁部を有し、
前記横方向の隔壁部の頂上面の上に対し、横方向に直線状にバス電極が配置され、
前記第１の領域では、前記バス電極から、前記表示セルの内側へ張り出すように、前記第１の電極が配置され、
前記第２の領域では、前記バス電極から、前記表示セルの内側へ張り出すように、前記第２の電極が配置され、
前記第１と第２の電極の先端により放電ギャップが形成されていること、を特徴とするプラズマディスプレイパネル。
【請求項６】
請求項２記載のプラズマディスプレイパネルにおいて、
前記放電空間で前記表示セルを区画する隔壁として、縦方向に並行する隔壁部及び横方向に並行する隔壁部を有し、
前記横方向の隔壁部の頂上面の上から前記表示セルの内側へずれた位置に対し、横方向に直線状にバス電極が配置され、
前記第１の領域では、前記バス電極から、前記表示セルの内側へ張り出すように、前記第１の電極が配置され、
前記第２の領域では、前記バス電極から、前記表示セルの内側へ張り出すように、前記第２の電極が配置され、
前記第１と第２の電極の先端により放電ギャップが形成されていること、を特徴とするプラズマディスプレイパネル。
【請求項７】
請求項５または６に記載のプラズマディスプレイパネルにおいて、
前記第１の領域内の前記第１の電極の前記張り出しの形状は、当該第１の領域の一部を占める矩形もしくはＴ字形であり、
前記第２の領域内の前記第２の電極の前記張り出しの形状は、当該第２の領域の一部を占める矩形もしくはＴ字形であり、
前記第１と第２の電極の形状は対称であること、を特徴とするプラズマディスプレイパネル。
【請求項８】
請求項２記載のプラズマディスプレイパネルにおいて、
前記放電空間で前記表示セルを区画する隔壁として、縦方向に並行する隔壁部及び横方向に並行する隔壁部を有し、
前記横方向の隔壁部の頂上面の上もしくはそこから前記表示セルの内側へずれた位置に対し、横方向に直線状にバス電極が配置され、
前記第１の領域では、前記バス電極から、前記表示セルの内側へ張り出すように、前記第１の電極が配置され、
前記第２の領域では、前記バス電極から、前記表示セルの内側へ張り出すように、前記第２の電極が配置され、
前記第１と第２の電極の先端により放電ギャップが形成され、
前記第１及び第２の電極は、それぞれ、横方向に隣接する表示セルで共通の板状であること、を特徴とするプラズマディスプレイパネル。
【請求項９】
請求項２記載のプラズマディスプレイパネルにおいて、
前記前面基板構造体における表示面に、前記第１の電極と重なる領域に、低い可視光透過率を持つ層が配置され、前記第２の電極と重なる領域には当該層が配置されていないこと、を特徴とするプラズマディスプレイパネル。
【発明の詳細な説明】
【技術分野】
【０００１】
本発明は、プラズマディスプレイパネル（ＰＤＰ）に関し、特に、セル（表示セル）の構造、コントラストなどに関する。
【背景技術】
【０００２】
ＰＤＰにおいて、パネル（セル）に対する外光入射が前方へ反射することで、コントラストを低下させるという一般的な問題がある。
【０００３】
上記外光入射の抑制などに関わる従来技術例として以下がある。
【０００４】
ＩＴＯ（Indium Tin Oxide）などによる透明電極を用いずに金属電極のみで表示電極を構成し、外光入射を遮断するものがある。
【０００５】
あるいは、前面基板にフィルタを設けることで外光入射を抑制するものがある。
【０００６】
また、特開２００３−２０３５７５号公報（特許文献１）には、前面に設けるフィルタにおいて、パネル内部からの光を回折させる格子層と、その回折された光を透過または遮断するブラックマトリクス層とを有する旨が記載されている。なお、セルの上下の領域に応じて透過率を変えるといった記載は無い。
【０００７】
また、特開２０００−３２３０４９号公報（特許文献２）には、前面ガラス基板の内部（溝）にブラックマトリクスを設けることで外光反射を減らす旨が記載されている。なお、セルの上下の領域に応じて物理的に差を設けるといった記載は無い。
【０００８】
また、特開２００３−１００２２２号公報（特許文献３）には、パネル外部からセルに入射した外光がセル内で反射されてなる反射光を、パネル垂直方向からみたとき、その反射光の強度が高い領域に、遮光体を設ける旨が記載されている。具体的には、バス電極をセル中心へ近付ける配置により外光反射を低減する旨が記載されている。
【特許文献１】特開２００３−２０３５７５号公報
【特許文献２】特開２０００−３２３０４９号公報
【特許文献３】特開２００３−１００２２２号公報
【発明の開示】
【発明が解決しようとする課題】
【０００９】
従来技術例のＰＤＰは、問題点として以下がある。従来のＰＤＰ（パネル）は、黒を表示する際、即ちセルの非点灯による黒輝度の表示の際、パネルからの微弱な発光以外に、外光反射光（蛍光体拡散反射光）が存在する。この外光反射光は、パネル（セル）の内部に入射した外光が、反射率の高い白色系の蛍光体で反射（拡散反射）して、パネル表示面（前面）から出射する光である。蛍光体による拡散反射光は白色系である。この出射光（外光反射光）の輝度の高さにより、黒輝度が上昇して少し白っぽく浮き上がって見えてしまい、結果、コントラストを低下させていた。
【００１０】
従来技術例として、前面基板側に配置された不透明な金属電極、例えばＣｒ（クロム），Ｃｕ（銅），Ａｇ（銀）等の材料によるバス電極、の面積を拡大することで、パネルへ入射する外光を抑制することができる。しかしながら、この構造では、拡大された電極面積により、セル当たりの開口率、言い換えれば輝度に寄与する発光領域の面積、が低下するため、表示発光、即ち蛍光体からの可視光発光、を効率良く前方（視線方向）へ取り出すことが困難となり、実用的に十分な輝度を確保することはできなくなる。
【００１１】
また、前面基板の表面に設けるフィルタ等によって外光入射を減少させる構造の場合、セル内部（放電領域）からの表示発光も当該フィルタにより減衰し表示輝度が低下してしまうので、同様に、十分な輝度を確保し難い。
【００１２】
いずれにせよ、従来技術例では、単にセルの開口面（発光領域）における遮光性（低い可視光透過率）の領域の面積を大きくすると、開口率が低下し表示輝度が低下することになる。
【００１３】
本発明は以上のような問題に鑑みてなされたものであり、その主な目的は、ＰＤＰに係わり、明室コントラスト（外光反射光の低減）と輝度（実用的に十分な表示輝度）との両方の特性を良好にすることができる技術を提供することである。
【課題を解決するための手段】
【００１４】
本願において開示される発明のうち、代表的なものの概要を簡単に説明すれば、次のとおりである。前記目的を達成するために、本発明の代表的な実施の形態は、基板構造体内部の放電空間の区画により蛍光体が含まれるセル群などが形成されるＰＤＰの技術であって、以下に示す構成を有することを特徴とする。
【００１５】
ＰＤＰの外光入射に関して、室内における外光の多くは天井の蛍光灯などからの照明光であり、主に、垂直に立てた状態のパネルに対し斜め上方から入射することになる。これを考慮して以下の構造とする。
【００１６】
本形態のＰＤＰのセル構造においては、明室コントラスト向上等を目的として、前面基板構造体（表示面を持つ側）におけるセルの概略的な発光領域（開口面）における概略上半分側（上側）の第１の領域と概略下半分側（下側）の第２の領域とにおいて、少なくとも、配置される電極等の材料や形状の違いによって、第１の領域の可視光透過率（Ｔ１）を第２の領域の可視光透過率（Ｔ２）よりも低くした構造である（Ｔ１＜Ｔ２）。本構成により、特に上記低い透過率（Ｔ１）により、パネル（セル）の斜め上方向等から特に第１の領域を通じてパネル（セル）の内部（放電領域）へ入射する外光を相対的に減少させ（即ち外光反射光低減）、結果、明室コントラストが向上される。更に、上記外光入射の減少（Ｔ１による）に加えて、特に上記高い透過率（Ｔ２＞Ｔ１）により、パネル（セル）の内部（放電領域）から特に第２の領域を通じてパネル（セル）の外部前方へ出射する内光（蛍光体からの可視光発光）を相対的に増加させ、結果、表示輝度を十分に確保しつつ明室コントラストが向上される。上記内光の出射の増加は、前面基板構造体（第２の領域）での内光の透過による取り出しの効率の上昇（確保）により、上記第１の領域（Ｔ１）による輝度の低下が抑制され、基本発光効率が向上することに対応している。
【００１７】
更に、上記セル（発光領域）における部分的な第１、第２の領域ごとに可視光透過率を高低に変える手段として以下がある。
【００１８】
第１の領域に、入射に関して低い可視光透過率を持つ材料による第１の電極（不透明電極）を配置する。この第１の電極は、金属電極などである。第２の領域に、出射に関して高い可視光透過率を持つ、第２の電極（透明電極）を配置する。この第２の電極は、ＩＴＯなどによる。
【００１９】
また、配置される電極は、例えば表示電極対（維持電極（Ｘ）、走査電極（Ｙ））において、直線状のバス電極や、放電ギャップを形成する張り出し部などを有する。例えば、セルの開口面（発光領域）に重なる当該電極（バス電極または張り出し部）において、第１の領域では不透明電極のみとし、第２の領域では透明電極のみとする。
【００２０】
また、セルを区画する隔壁として横方向に並行する隔壁部（横リブ）を有し、横リブの上、もしくはそこからセル内側（第１の領域内、第２の領域内）へずれた位置に対し、直線状にバス電極（金属電極）が配置され、バス電極からセル内側（第１の領域内、第２の領域内）へ張り出すように、それぞれ、第１の電極、第２の電極が配置される。
【００２１】
また、第１の領域内の第１の電極、第２の領域内の第２の電極のそれぞれの張り出しの形状は、矩形やＴ字形、あるいは横方向に隣接するセルで共通の板状などである。
【発明の効果】
【００２２】
本願において開示される発明のうち、代表的なものによって得られる効果を簡単に説明すれば以下のとおりである。即ち、本発明の代表的な実施の形態によれば、明室コントラストを向上できる。
【発明を実施するための最良の形態】
【００２３】
以下、本発明の実施の形態を図面に基づいて詳細に説明する。なお、実施の形態を説明するための全図において、同一部には原則として同一符号を付し、その繰り返しの説明は省略する。なお、説明のため、ＤＸ：画面の横（水平）方向、ＤＹ：画面の縦（垂直）方向）、ＤＺ：パネル厚さ方向（画面垂直方向）とする。
【００２４】
図１〜図６等を用いて、本発明の実施の形態のＰＤＰについて説明する。本実施の形態では、特に図１に示すように、前面基板構造体１１において、セル（発光領域）に対し、縦方向（ＤＹ）で上側の第１の領域３１に、低い可視光透過率を持つ不透明電極２１（ＥＡ）が配置され、下側の第２の領域３２に、高い可視光透過性率を持つ透明電極２２（ＥＢ）が配置される構造である。
【００２５】
＜１＞
図１において、実施の形態のＰＤＰ１０のセル単位の断面（ＤＺ−ＤＹ）を示している。実施の形態では、第１構造体１１におけるセルの発光領域において、上半分側の第１の領域３１内のみで、金属材料による不透明電極２１（ＥＡ）が配置され、同セルにおける下半分側の第２の領域３２のみで、ＩＴＯ等の材料による透明電極２２（ＥＢ）が配置された構造である。第１構造体１１内で各電極（２１，２２）の他は、ガラス等の透過性の材料である。上側の不透明電極２１は可視光透過率が低い金属によるので、第１の領域３１の可視光透過率（Ｔ１）が低い。下側の不透明電極２２は、可視光透過率が高いＩＴＯ等によるので、第２の領域３２の可視光透過率（Ｔ２）が高い。
【００２６】
第１の領域３１は、第１構造体１１におけるセルの約上半分の領域であり、可視光透過率（Ｔ１）が低い領域である。第１の領域３１では、可視光透過率を低める不透明電極２１（ＥＡ）が配置されている。不透明電極２１は、例えば表示電極対の維持電極（Ｘ）のうちの金属電極部である。
【００２７】
第２の領域３２は、第１構造体１１におけるセルの約下半分の領域であり、可視光透過率（Ｔ２）が高い領域である。第２の領域３２では、可視光透過率を高める透明電極２２（ＥＢ）が配置されている。透明電極２２は、例えば表示電極対の走査電極（Ｙ）のうちの透明電極部である。
【００２８】
ａは、外光入射の例である。θは、外光ａの入射角度（例えば３５度）である。ｂは、外光ａが蛍光体９で反射（拡散反射）されて前方へ出射される成分の光（拡散反射光）である。ｃは、セル領域のＤＹ方向での中心線である。ｃを境に第１の領域３１と第２の領域３２を概略的に区分している。Ｓは当該セルを見る際の真正面の視線方向である（ＤＺ方向と同様）。上側の第１の領域３１では不透明電極２１の作用により、ａで例示するような外光入射が効率よく遮蔽される。一方、下側の第２の領域３２では透明電極２２の作用により、蛍光体９からの可視光発光が効率よく前方へ透過により取り出される。これにより、本セルにおける明室コントラスト値は高くなる。蛍光体９で拡散反射した成分のうちの一部の光は、蛍光体９の側面部（隔壁８側面に形成されている部分）で更に散乱反射され、前方へ出射されるものを有する。
【００２９】
金属電極である不透明電極２１（ＥＡ）は、Ｃｕ，Ｃｒ，Ａｇ，Ａｕ，Ａｌなどの材料あるいはそれらの積層体から構成される。不透明電極２１は、外光がセル内へ入射するのを効率よく遮蔽するために、十分に低い可視光透過率を持たせる。不透明電極２１は、例えば、Ｃｒ／Ｃｕ／Ｃｒの三層構造とする。
【００３０】
透明電極２２（ＥＢ）は、ＩＴＯやＳｉＯ２などの材料から構成される。透明電極２２（ＥＢ）は、セルの内光（蛍光体９からの可視光発光）を前方へ効率よく透過させるために、十分に高い可視光透過率を持たせる。例えば透明電極２２をＩＴＯとした場合、導電性を持ちつつ、光透過率としては約９０％以上を有する。
【００３１】
第１構造体（前面基板構造体）１１において、主にガラス基板（前面基板）１から成り、第１構造体１１の内部に不透明電極２１及び透明電極２２などが形成されている。第２構造体（背面基板構造体）１２において、主にガラス基板（背面基板）５から成り、アドレス電極６、隔壁８、蛍光体９などが形成されている。放電空間１３は、第１構造体１１と第２構造体１２の間の放電ガスが封入された領域であり、隔壁８により区画される。
【００３２】
なお、図１で、第１構造体１１における隔壁８の上部の領域については、第１の領域３１、第２の領域３２には含めていない。隔壁８は例えば半透明性あるいは不透明性である。第１構造体１１の各電極（２１，２２）は、隔壁８の上部に重なって配置されても構わない。
【００３３】
＜２＞
図２において、図１の断面構造に対応して、本ＰＤＰ１０の基本的な構造の一例（交流駆動・面放電型、三電極型、ボックス状隔壁）を示している。Ｃｒ，Ｃｇ，Ｃｂは、Ｒ（赤），Ｇ（緑），Ｂ（青）の各色のセルに対応付けられる領域（特に発光領域）を示す。ＰＤＰ１０は、前面側（表示面を持つ側）の第１構造体１１と背面側の第２構造体１２とを組み合わせて構成される。
【００３４】
第１構造体１１において、平面的な前面基板（ガラス基板）１上には、表示電極対を構成する維持電極（Ｘ）と走査電極（Ｙ）が、横方向（ＤＸ）に並行して設けられている。この表示電極対（Ｘ，Ｙ）としては、不透明電極２１と透明電極２２を有する。例えば、Ｘ側が不透明電極２１、Ｙ側が透明電極２２に対応付けられる。
【００３５】
前面基板１上、表示電極群を覆うように誘電体層３が設けられ、更にその表面に保護層４が設けられている。誘電体層３は、ＳｉＯ２などの透過性の材料で構成される。保護層４は、ＭｇＯなどの透過性の材料で構成される。
【００３６】
第２構造体１１において、平面的な背面基板（ガラス基板）５上には、アドレス電極６群が、縦方向（ＤＹ）に並行して設けられている。これらは例えば誘電体層７により覆われる。誘電体層７上には、放電空間１３でセル群を区画する隔壁（リブ）８が設けられている。例えばボックス状の隔壁８として、縦方向（ＤＹ）に並行する隔壁部である縦リブ８Ａと、横方向（ＤＸ）に並行する隔壁部である横リブ８Ｂとが設けられている。縦リブ８Ａと横リブ８Ｂにより囲まれる空間は、セル（放電領域）に対応付けられる。隔壁８間の領域、即ち縦リブ８Ａ及び横リブ８Ｂの側面及び誘電体層７上面には、各色用の蛍光体９（９ｒ，９ｇ，９ｂ）が表示列ごとに形成されている。蛍光体９（９ｒ，９ｇ，９ｂ）は、セルの放電（表示放電）時の真空紫外線により励起されてＲ，Ｇ，Ｂの所定の色の可視光を発生する。放電空間１３の放電ガスは、例えばＸｅ−Ｎｅ等の混合ガスである。
【００３７】
セルは、各電極（表示電極対（Ｘ，Ｙ）とアドレス電極６）が交差する領域、及び隔壁８などにより区画される領域、に対応付けられる単位である。なお、セルにおける放電領域と称している領域は、放電空間１３（放電ガスが封入された空間）における前後の基板構造体面及び隔壁８により囲まれ蛍光体９が形成され放電が行われる空間に対応付けられる。また、セルにおける発光領域と称している領域は、放電領域に対応して、前面基板構造体１１またはその表示面における主な発光が取り出される領域に対応付けられる。放電領域は、放電を遮る隔壁８などが存在する場合にはその分小さくなる。発光領域は、光透過を遮る電極部などが存在する場合にはその分小さくなる（開口率の低下）。
【００３８】
製造工程としては、不透明電極２１及びアドレス電極６は、例えば、ガラス基板１上に、Ｃｒ，Ｃｕ等の材料を、フォトリソ＋エッチング、またはスクリーン印刷などの技術を用いて、所定のパターンで形成される。透明電極２２は、例えば、ガラス基板１上に、ＩＴＯ等の材料を、蒸着法、スパッタ法、フォトリソ＋エッチング、またはスクリーン印刷などの技術を用いて、所定のパターンで形成される。誘電体層３（誘電体層７）は、例えば低融点ガラス材料などからなるペーストをスクリーン印刷などによって塗布し、焼成することで形成される。あるいは、ＣＶＤ法などの蒸着法で成膜される。保護層４は、誘電体層３の表面上に、蒸着法やスパッタ法などによって形成される。隔壁８は、誘電体層７上、サンドブラスト法などによって形成される。蛍光体９は、例えば、各色の蛍光体ペーストを、スクリーン印刷やディスペンサなどの方法によって、隔壁８間の領域に塗布し、焼成することで形成される。
【００３９】
＜３＞
図３において、図１，図２のような実施の形態のＰＤＰ１０の基本的構成における詳しい平面構造例（ＤＸ−ＤＹ）（構成１とする）を示している。セル５０（概略的に破線の枠で示す）における電極構造例を示し、蛍光体９等は図示省略している。本構成１では、表示電極対（Ｘ，Ｙ）として、金属材料による直線状のバス電極（金属電極）と、それに電気的に接続される張り出し部（突出部）とを有する。
【００４０】
バス電極（２１ｂ，２２ｂ）は、ＤＸ方向の横リブ８Ｂの上（頂上面）に対し直線状に配置されており、端部は駆動回路側と接続される。バス電極（２１ｂ，２２ｂ）は、透明電極よりも配線抵抗が低い。
【００４１】
張り出し部（ＥＡ，ＥＢ）は、バス電極（２１ｂ，２２ｂ）と電気的に接続され、セル中心（アドレス電極６に重なる位置）において、バス電極（２１ｂ，２２ｂ）からセル内側方向（ＤＹ）へ張り出している。張り出しの形は例えば矩形（Ｉ字型）である。第１の領域３１内に、Ｘ側の不透明電極２１である張り出し部ＥＡが配置され、第２の領域３２内に、Ｙ側の透明電極２２である張り出し部ＥＢが配置されている。なお張り出し部（ＥＡ，ＥＢ）に関しバス電極（２１ｂ，２２ｂ）に重なる直線状の部分については図示省略している。張り出し部（ＥＡ，ＥＢ）は、それら隣接する対の先端同士の間隔で放電ギャップ（長さ：Ｇ）を構成する。放電ギャップの長さＧは一定に設計され、セル中心付近に配置される。当該放電ギャップでは、表示放電（維持放電）などの放電が行われる。
【００４２】
セル５０において、縦方向（ＤＹ）の長さを概略ＬＹとし、横方向（ＤＸ）の長さを概略ＬＸとする。アドレス電極６の幅をＬａ、各バス電極（２１ｂ，２２ｂ）の幅をＬｂ、リブ８の頂上面の幅をＬｒ１、底面の幅をＬｒ２とする。張り出し部（ＥＡ，ＥＢ）の張り出しの長さをＬ１，Ｌ２とし、幅をＬＡ，ＬＢとする。
【００４３】
発光領域の上下の各領域（３１，３２）に含まれる電極部分、即ち主に張り出し部（ＥＡ，ＥＢ）の大きさ（Ｌ１，Ｌ２，ＬＡ，ＬＢ）を変えることで、当該領域の可視光透過率（Ｔ１，Ｔ２）を適切な範囲に設計することができる。
【００４４】
なお、図３でセルの発光領域（開口面）とは、例えば、隔壁８（半透明性または不透明性）を除いて考え、隔壁８の頂上面により四方を囲まれる矩形である。なお、下側の第２の領域３２に近接するリブ８（横リブ８Ｂ）に対しては、配線抵抗の確保などのために、金属によるバス電極２２ｂを配置している。
【００４５】
＜４＞
更に、図４において、図３（構成１）の断面構造例を示している。リブ８（横リブ８Ｂ）の上部に対し電極部を重ねて配置しているものである。例えばセルの上側の第１の領域３１に対して維持電極（Ｘ）、下側の第２の領域３２に対して走査電極（Ｙ）が配置され、Ｘ側に不透明電極２１（ＥＡ）、Ｙ側に透明電極２２（ＥＢ）が配置される場合である。横リブ８Ｂの頂上面の領域ｒ１に対して、バス電極（２１ｂ，２２ｂ）と、それに重なる張り出し部（ＥＡ，ＥＢ）の一部とが配置される。不透明電極２１（ＥＡ）と透明電極２２（ＥＢ）が配置される領域ｒ２は、図１と同様の領域である。
【００４６】
製造工程では、例えば、ガラス基板１上、張り出し部（ＥＡ，ＥＢ）となる不透明電極２１（ＥＡ）と透明電極２２（ＥＢ）がそれぞれ形成される。それらの上に、上記横リブ８Ｂ上部の位置に合わせて、金属のバス電極（２１ｂ，２２ｂ）が形成される。そして、それらの電極を覆うように誘電体層３及び保護層４が形成される。
【００４７】
＜明室コントラスト＞
一般的に、ディスプレイにおけるコントラスト（コントラスト比）は、暗い部分の輝度（黒輝度）に対する明るい部分の輝度（白輝度）の比率のことである。特に、明室コントラストは、明室（例えば照度が１００〜３００ルクス程度）環境下での条件を考慮したコントラストであり、即ち外光反射の考慮も含めた、黒輝度に対する白輝度の比率である。
【００４８】
本ＰＤＰ１０に係わり、明室コントラストは、一般的な定義に従って例えば下記の式（１）で表すことができる。Ｃ：明室コントラスト、Ａ：白輝度（ＰＤＰ発光）［ｃｄ／ｍ２］、Ｂ：黒輝度（ＰＤＰ背景発光）［ｃｄ／ｍ２］、Ｒ：外光反射輝度（外光輝度×反射率）［ｃｄ／ｍ２］、とする。
【００４９】
Ｃ＝（Ａ＋Ｒ）／（Ｂ＋Ｒ）      ・・・（１）
ここで、外光反射（Ｒ）の定義は、ＪＥＩＴＡによる測定基準に従い、垂直に立てたパネル（ＰＤＰ）の垂線（ＤＺ）に対して入射角度（θ）が約３５度の光の拡散反射、とする。なお、ＰＤＰの観賞環境として、多くの場合、垂直に立てたパネルの画面に対し斜め上方向から室内照明が外光として入射する。その入射角度（θ）は例えば約３５度と考えることができる。また、ＰＤＰ１０のセルに入射した外光は、蛍光体９で拡散反射され、前方へ出射する（外光反射光）。
【００５０】
＜明室コントラスト計算＞
実施の形態のセル構造（特に図３の構成１）において、明室コントラスト値を以下のように計算した。条件としては以下である。単位は［μｍ］である。セルのサイズ：横（ＬＸ）２７０×縦（ＬＹ）５３０。縦リブ８Ａ：トップ（幅Ｌｒ１）が６０。横リブ８Ｂ：トップ（幅Ｌｒ１）が５０、ボトム（幅Ｌｒ２）が１００、高さ（ＤＺ）が１３０。各バス電極（２１ｂ，２２ｂ）の幅Ｌｂ：５０。各張り出し部（ＥＡ，ＥＢ）の大きさ（上下対称）：横（ＬＡ，ＬＢ）８０×縦（Ｌ１，Ｌ２）１９０。放電ギャップ長さ（Ｇ）：１００。
【００５１】
外光反射（Ｒ）の条件は以下である。ＪＥＩＴＡの測定基準により、パネルの垂線（ＤＺ方向）からθ＝３５°で上方からの入射光とする。なお以下の要素については省略ないし概略的に試算して考える。リブ８を透過してセル内に入射する外光を無視する（即ちリブ８の光透過率を十分低いものとする）。また、外光反射（Ｒ）（蛍光体９での拡散反射を含む）については、所定のセル構造の拡散反射率にならって概略的に試算する。前面基板構造体１１での反射や透過については微細なので省略する。また、セルの下側のリブ８（横リブ８Ｂ）の斜め部分（側面部）での反射については、平面として試算する。概略的に、第１構造体１１の反射は、４〜４５％とする。また、第２構造体１２の反射は、７０％とする。
【００５２】
明室コントラスト（Ｃ）は以下のように計算される。計算式は、前記式（１）を使用する。対象とするセル構造例として、前述の図３のように、表示電極対（Ｘ，Ｙ）として、隔壁８上のバス電極（２１ｂ，２２ｂ）と、セル内側への矩形の張り出し部（ＥＡ，ＥＢ）とを有する。第１の領域３１のＥＡが不透明電極２１（Ｃｒ，Ｃｕ等）、第２の領域３２のＥＢが透明電極２２（ＩＴＯ）である。
【００５３】
また、本実施の形態（構成１）の明室コントラスト試算に対する比較例（従来技術）として図５（ａ），（ｂ）のような構造を有する。このような従来技術では、いずれも、ＤＹ方向の上下で電極の材料や形状等は対称（同じ）である。構成１と異なる箇所のみ説明する。
【００５４】
図５（ａ）における第１の構造は、セルの表示電極対（Ｘ，Ｙ）の張り出し部が、上下の領域（３１，３２）で共にＩＴＯによる透明電極（ＥＢ）である。
【００５５】
図５（ｂ）における第２の構造は、セルの表示電極対（Ｘ，Ｙ）の張り出し部が、上下の領域（３１，３２）で共に金属による不透明電極（ＥＡ）である。
【００５６】
図６において、上記試算の結果のグラフ（開口面積、輝度、明室コントラスト）を示している。ひし形の点は、概略的な輝度、四角の点は、明室コントラスト値（Ｃ）である。左側の２つの点は、（１）：図５（ａ）の第１の構造、右側の２つの点は、（２）：図５（ｂ）の第２の構造、中央の２つの点は、（３）：第３の構造として本実施の形態（図３の構成１）のものである。
【００５７】
セルの開口面積［μｍ２］（リブ８及び不透明電極２１を除いた面積）については、順に、（１）第１の構造では１００８００、（２）第２の構造では７０４００、（３）第３の構造では８５６００である。当該面積は、当然ながら（１）が一番大きい。
【００５８】
反射面積［μｍ２］については、同様の順に、（１）８０８５０、（２）５８０５０、（３）６５６５０である。
【００５９】
概略的な輝度（白輝度Ａ）については、順に、（１）１０００、（２）６９８、（３）８４９である。なお当該輝度については、（１）第１の構造における輝度を概略的に１０００として、開口面積をもとに計算した。当該輝度は、（１），（３），（２）の順で大きくなる。
【００６０】
外光反射（Ｒ）については、順に、（１）９．５、（２）６．９、（３）７．８である。なお、外光反射については、概略１５０ルクスでパネルの拡散反射を概略２０％として計算した。パネルの拡散反射は、第１構造体１１側で４〜４．５％、第２構造体１２側で７０％とした。当該外光反射は、（１），（３），（２）の順で小さくなる。
【００６１】
背景発光（黒輝度Ｂ）については、順に、（１）０．１、（２）０．０７、（３）０．０８である。当該背景発光は、（１），（３），（２）の順で小さくなる。
【００６２】
明室コントラスト（Ｃ）は、順に、（１）１０４．６、（２）１０１．８、（３）１０９．３である。即ち、明室コントラスト（Ｃ）は、（２），（１），（３）の順で大きくなる。
【００６３】
図６の（３）のように、本実施の形態（構成１）、即ちセルの上側の第１の領域３１の電極のみで不透明電極２１（ＥＡ）として可視光透過率（Ｔ１）を低くした構造により、表示輝度を確保しつつ明室コントラストが向上することがわかる。（３）の実施の形態（構成１）のＰＤＰ１０では、輝度に関しては、（１）の第１の構造よりも少し低くなるが（不透明電極２１による遮蔽作用による）、明室コントラスト（Ｃ）に関しては、他の構造よりも大きくなる。（１）の第１の構造では、上側の透明電極（ＥＢ）の可視光透過率が高いので蛍光体発光の取り出し効率が高く輝度が高くなるが、外光反射が大きくなるので明室コントラストは低下する。一方、（３）のＰＤＰ１０では、上側の不透明電極２１（ＥＡ）の可視光透過率が低い分、蛍光体９からの可視光発光の取り出し効率が少し落ち輝度が少し低くなるが、外光反射（Ｒ）が効率よく遮蔽され、かつ、下側の透明電極２２（ＥＢ）の可視光透過率が高い分、蛍光体９からの可視光発光の取り出し効率が高く輝度が確保され、よって明室コントラスト（Ｃ）が向上する。
【００６４】
以上のように、本実施の形態のＰＤＰ１０における上記（３）のような構成とすることで、明室コントラストを高くすることができ、且つ、輝度も実用的に十分に確保することができる。本実施の形態では、それら明室コントラストと輝度の両方の特性のバランスをとることができ、配置される電極などの設計を調整することで、総合的に良好な特性、特に明室コントラストを重視した最適な特性が得られる。例えば図６の（３）のように明室コントラスト値がピークとなるような特性に選択される。また、輝度を重視して高くしたい場合には、更に第２の領域３２の透過率（Ｔ２）を上げるように選択、調整すればよい。
【００６５】
＜第１の変形例＞
実施の形態において、上記構成１の他にも以下のような各種の変形例が可能であり、同様の効果を実現できる。
【００６６】
図７において、第１の変形例（構成２）を示している。これは、前記図３の平面構造に対し、バス電極（２１ｂ，２２ｂ）の位置を、リブ８（横リブ８Ｂ）上ではなく、セル内側にずらした構造である。図３に対し、放電ギャップ長さ（Ｇ）は同じであり、張り出し部（ＥＡ，ＥＢ）の長さが少し短くなっている。上側の第１の領域３１では、不透明電極２１（ＥＡ）だけでなく、金属のバス電極２１ｂの存在により、可視光透過率（Ｔ１）が低くなる。下側の第２の領域３２では、透明電極２２（ＥＢ）の存在により、可視光透過率（Ｔ２）が高くなる。これにより、明室コントラストは高くなる。
【００６７】
＜第２の変形例＞
図８において、第２の変形例（構成３）を示している。これは、前記図３の平面構造に対し、張り出し部（ＥＡ，ＥＢ）の形状を、矩形ではなくＴ字形とした構造である。図３に対し、放電ギャップ長さ（Ｇ）は同じであり、張り出し部（ＥＡ，ＥＢ）の張り出しの長さ（Ｌ１，Ｌ２）が同じで、Ｔ字の先端部の幅（ＬＡ’，ＬＢ’）が例えばセル開口面と同じ程度に広くなっている。上側の第１の領域３１では、不透明電極２１である張り出し部（ＥＡ）の大きさにより、可視光透過率（Ｔ１）が低くなる。下側の第２の領域３２では、透明電極２２である張り出し部（ＥＢ）の存在により、可視光透過率（Ｔ２）が高くなる。これにより、明室コントラストは高くなる。張り出し部（ＥＡ，ＥＢ）の面積を適宜変えることで明室コントラストなどを調整することができる。
【００６８】
またその他、張り出し部（ＥＡ，ＥＢ）の先端を隣接セルで板状に共通化してなるような梯子形状（リブ上のバス電極とセル内側の板状の張り出し部とをセル毎に接続してなるような梯子形状）なども可能である。
【００６９】
＜第３の変形例＞
図９において、第３の変形例（構成４）を示している。これは、前記図３や図７の構造に対し、セル内側への張り出し部（ＥＡ，ＥＢ）を、隣接セル（表示ライン）で共通の単純な板状（帯状）とした構造である。例えば、バス電極（２１ｂ，２２ｂ）部分を、図７同様にリブ８上よりもセル内側にずらして配置し、透明、不透明のそれぞれの張り出し部（ＥＡ，ＥＢ）を接続する構造である。上側の第１の領域３１では、不透明電極２１である張り出し部（ＥＡ）の大きさにより、可視光透過率（Ｔ１）が低くなる。下側の第２の領域３２では、透明電極２２である張り出し部（ＥＢ）の存在により、可視光透過率（Ｔ２）が高くなる。これにより、明室コントラストは高くなる。
【００７０】
＜第４の変形例＞
図１０において、第４の変形例（構成５）の断面構造を示している。これは、前記図１等の構造に対し、第１構造体１１（ガラス基板１）の最表面において、第１の領域３１の不透明電極２１の配置領域に対応して、低い可視光透過率を持つフィルタ（不透明層）９０を追加配置した構造である。第２の領域３２に対しては、フィルタ９０は配置されない。フィルタ９０は例えばＤＸ方向での帯状とし、本パネルの表示領域では、ストライプ状の配置となる。第１の領域３１では、不透明電極２１に加えてフィルタ９０の存在により、可視光透過率（Ｔ１）がさらに低くなる。また、第１の領域３１において、フィルタ９０を設けることで、その代わりに、不透明電極２１の大きさを縮小あるいは無くして、所定の可視光透過率を持つように設計してもよい。フィルタ９０はガラス基板１面上に貼り付ける形や、ガラス基板１面内部に埋め込まれる形などとしてもよい。
【００７１】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００７２】
本発明は、ＰＤＰ装置に利用可能である。
【図面の簡単な説明】
【００７３】
【図１】本発明の実施の形態のＰＤＰのセル単位の断面構造を示す図である。
【図２】本発明の実施の形態のＰＤＰの基本的な構造の一例を分解斜視で示す図である。
【図３】本発明の実施の形態のＰＤＰのセル単位の平面構造の例（構成１）を示す図である。
【図４】本発明の実施の形態のＰＤＰ（構成１）におけるセル単位の断面構造の例を示す図である。
【図５】（ａ），（ｂ）は、本発明の実施の形態のＰＤＰ（構成１）に対する比較例（従来技術）の平面構造を示す図である。
【図６】本発明の実施の形態のＰＤＰ（構成１）における明室コントラストなどの特性の計算の結果を示す図である。
【図７】本発明の実施の形態のＰＤＰの変形例として、セル単位の平面構造の例（構成２）を示す図である。
【図８】本発明の実施の形態のＰＤＰの変形例として、セル単位の平面構造の例（構成３）を示す図である。
【図９】本発明の実施の形態のＰＤＰの変形例として、セル単位の平面構造の例（構成４）を示す図である。
【図１０】本発明の実施の形態のＰＤＰの変形例として、セル単位の断面構造の例（構成５）を示す図である。
【符号の説明】
【００７４】
１…前面基板（ガラス基板）、３…誘電体層、４…保護層、５…背面基板（ガラス基板）、６…アドレス電極、７…誘電体層、８，８Ａ，８Ｂ…隔壁、９（９ｒ，９ｇ，９ｂ）…蛍光体、１０…ＰＤＰ、１１…前面基板構造体（第１構造体）、１２…背面基板構造体（第２構造体）、１３…放電空間、２１…不透明電極（第１の電極）、２２…透明電極（第２の電極）、２１ｂ，２２ｂ…バス電極、３１…第１の領域、３２…第２の領域、５０…セル、９０…フィルタ（不透明層）、ＥＡ…不透明電極（張り出し部）、ＥＢ…透明電極（張り出し部）。
【図１】
2009301881.tif 000003
【図２】
2009301881.tif 000004
【図３】
2009301881.tif 000005
【図４】
2009301881.tif 000006
【図５】
2009301881.tif 000007
【図６】
2009301881.tif 000008
【図７】
2009301881.tif 000009
【図８】
2009301881.tif 000010
【図９】
2009301881.tif 000011
【図１０】
2009301881.tif 000012